(57)【要約】  【課題】撮影光路規制用の開口部を形成した薄い口径規制板を、合成樹脂製の地板に対して簡単・確実に取り付けることを可能にした、コスト上で有利なカメラ用羽根駆動装置を提供すること。  【解決手段】撮影光路規制用の開口部２ａを有する口径規制板２は、それに設けられた複数の孔を合成樹脂製の地板１に設けられた軸１ｄ，１ｅ，１ｆと位置決めピン１ｇに嵌合させている。その後、シャッタ羽根４を軸１ｅに、シャッタ羽根５を軸１ｄに、絞り羽根６を軸１ｆに、夫々順に回転可能に取り付けておいてから、カバー板３は、折曲部３ｄ，３ｅを弾性変形させて、地板１の係合部１ｂ，１ｃに掛け止めされている。そのため、この取付け状態においては、口径規制板２が、カバー板３の折曲部３ｂ，３ｃの弾性によって地板１に対して押圧されるようになっている。【選択図】  図１
2005241725.tif 000002
【特許請求の範囲】
【請求項１】
略中央部に開口部を有している合成樹脂製の地板と、薄い板状に製作されていて略中央部に前記開口部よりも小さく且つ光軸を中心にした円形の光路規制用開口部を有しており前記地板に設けられた少なくとも一つの位置決め手段によって光軸と直交する方向への移動を阻止されている口径規制板と、略中央部に前記光路規制用開口部より大きい開口部を有していると共に折り曲げ形状をした複数の押圧部を有しており該押圧部の弾性によって前記口径規制板を前記地板に押し付けた状態で前記地板に取り付けられ前記口径規制板との間に羽根室を構成しているカバー板と、前記羽根室に配置されており駆動手段によって往復作動させられ前記光路規制用開口部に進退する少なくとも１枚の羽根と、を備えていることを特徴とするカメラ用羽根駆動装置。
【請求項２】
前記地板が、その周辺部に複数の係合部を有しており、前記カバー板が、その周辺部に折り曲げ形状をしていて弾性を有する複数のフック部を有しており、前記カバー板は、前記フック部を前記係合部に掛け止めすることによって前記地板に取り付けられていることを特徴とする請求項１に記載のカメラ用羽根駆動装置。
【請求項３】
前記位置決め手段の少なくとも一つは、前記羽根が回転可能に取り付けられる軸であって、前記口径規制板には、該軸に嵌合する孔が形成されていることを特徴とする請求項１又は２に記載のカメラ用羽根駆動装置。
【請求項４】
前記羽根室に、各々が少なくとも１枚の羽根からなっていて、個別の駆動手段によって往復作動させられる第１羽根と第２羽根とが配置されていることを特徴とする請求項１乃至３のいずれかに記載のカメラ用羽根駆動装置。
【請求項５】
前記口径規制板と前記カバー板との間に、略中央部に前記光路規制用開口部より大きい開口部を有する中間板を配置し、該中間板が、前記口径規制板との間に前記第１羽根の羽根室を構成し、前記カバー板との間に前記第２羽根の羽根室を構成していることを特徴とする請求項４に記載のカメラ用羽根駆動装置。
【発明の詳細な説明】
【技術分野】
【０００１】
本発明は、シャッタ装置，絞り装置，フィルタ装置などを、単独もしくは複数でユニット化するようにしたカメラ用羽根駆動装置に関する。
【背景技術】
【０００２】
カメラに採用されているレンズシャッタ装置（以下、シャッタ装置という），絞り装置，フィルタ装置は、各々羽根部材を有していて、それらをアクチュエータによって往復作動させるようにしている。そして、シャッタ装置の場合には、シャッタ羽根を２枚としたものが多いが、レンズ口径の小さなカメラの場合には、１枚としたものもある。また、レンズ口径の小さなカメラに採用される絞り装置の場合には、小さな円形の開口部を有した１枚の絞り羽根を備え、必要に応じて、その開口部を撮影光路に進退させるようにしたものが多くなっている。
【０００３】
更に、フィルタ装置の場合には、上記の絞り羽根と類似の形状（但し、その開口部は、地板に形成された撮影光路規制用の開口部と略同じ大きさの場合もある）をした１枚の羽根部材に対して、その開口部の近傍位置にその開口部を覆うようにしてＮＤフィルタ板を取り付けたものをフィルタ羽根としたものが多いが、そのような開口部を有する羽根部材を２枚用意して、それらの間に、ＮＤフィルタ板のみで製作した羽根部材を重合させ、３枚の羽根部材を同時に同方向へ同角度だけ往復回転させるようにした構成のものも考えられている。そして、これらのようなシャッタ羽根，絞り羽根，フィルタ羽根は、最近では、夫々のアクチュエータによって往復作動をさせられるのが普通になっている。
【０００４】
また、シャッタ装置，絞り装置，フィルタ装置は、各々単独でユニット化されることもあるが、それらの二つ以上の装置を一つのユニットとすることもある。更に、単独でユニット化する場合であっても、シャッタ装置の場合には、開き用のシャッタ羽根と閉じ用のシャッタ羽根とを、別々のアクチュエータで駆動するようにすることがある。また、絞り装置の場合には、異なる大きさの絞り開口を有する複数の絞り羽根を、別々のアクチュエータで駆動するようにすることがあるし、フィルタ装置の場合には、濃度の異なる複数のフィルタ羽根を、別々のアクチュエータで駆動するようにすることもある。そして、このようにユニット化された羽根駆動装置は、デジタルスチルカメラ，デジタルビデオカメラ，看視カメラ，携帯用も含めた情報端末装置用カメラなどのほかに、従来からの銀塩フィルムカメラやビデオカメラにも採用することが可能となっている。
【０００５】
ところで、このような各種の羽根駆動装置のユニットは、一つの地板に多くの部材を直接又は間接に取り付けて構成されている。そして、その地板は、最近では、低コスト化，軽量化に有利であることから、殆どの場合、合成樹脂製となっている。ところが、地板には、上記のような各種の羽根やそれを駆動するためのモータのほか、場合によってはレンズも取り付ける必要があることから、合成樹脂製の場合は、金属製の場合よりも、厚くならざるを得ないという実情がある。
【０００６】
他方、最近ではカメラの小型化に伴い、薄型化も急速に進んできており、撮影レンズを出来るだけ羽根の作動面に近接させて配置したいという要求がある。ところが、地板の厚さが余り大きいと、そのような要求に応じるのが困難になってしまう。特に、固体撮像素子を備えたカメラの場合には、薄型化を図るために、羽根駆動装置の一方の面に近付けて固体撮像素子を配置し、他方の面に近付けて撮影レンズを配置していることが多いが、そのようなカメラにおいて、レンズ口径を大きくせずに撮像面積を出来るだけ大きくするためには、羽根駆動装置に設けられていて固体撮像素子に対する撮影光の光路を規制している開口位置に、撮影レンズを、より接近させて配置させる必要がある。しかしながら、地板が厚い場合には、どうしてもその厚さに制約を受けてしまうことになる。
【０００７】
そこで、そのような制約をなくすために、地板の固体撮像素子側の面に、薄い板部材（以下、口径規制板という）を重ねて配置し、撮影光路規制用の開口部は、その口径規制板に形成するようにし、地板には、それよりもはるかに大きな開口部を形成することによって、撮影レンズの一部を挿入できるようにし、口径規制板に形成されている撮影光路規制用の開口部に近接させるようにした構成が知られている（特許文献１参照）。
【特許文献１】特開２００３−１３１２８５号公報
【発明の開示】
【発明が解決しようとする課題】
【０００８】
ところで、カメラ用羽根駆動装置に、上記のような口径規制板を設ける場合には、地板に対して、その口径規制板を取り付けなければならず、また、口径規制板との間に羽根室を構成するためのカバー板（補助地板などともいう）も地板に対して取り付けなければならない。更に、その羽根室を複数構成する場合には、口径規制板とカバー板との間に配置される中間板（仕切り板などともいう）も、地板に対して取り付ける必要がある。ところが、従来は、そのような口径規制板やカバー板を地板に取り付ける場合、夫々複数のねじによって取り付けるのが普通であったため、部品点数も組立工数もが多くなって、コスト上で極めて不利であった。また、地板が合成樹脂製であることから、その一部を加熱変形させるだけで、口径規制板を取り付けるようにしたものもあるが、そのような熱溶着を行う場合でも、部品点数は減るが、作業に熟練を要するため、コスト上ではそれほど効果的とはいえなかった。
【０００９】
本発明は、このような問題点を解決するためになされたものであり、その目的とするところは、特別な取付け部品を用いることなく、また、特殊な加工を施すことなく、カバー板の形状を工夫することによって、地板に対して口径規制板を簡単に組み付けることができるようにした、コスト上で極めて有利なカメラ用羽根駆動装置を提供することである。
【課題を解決するための手段】
【００１０】
上記の目的を達成するために、本発明のカメラ用羽根駆動装置は、略中央部に開口部を有している合成樹脂製の地板と、薄い板状に製作されていて略中央部に前記開口部よりも小さく且つ光軸を中心にした円形の光路規制用開口部を有しており前記地板に設けられた少なくとも一つの位置決め手段によって光軸と直交する方向への移動を阻止されている口径規制板と、略中央部に前記光路規制用開口部より大きい開口部を有していると共に折り曲げ形状をした複数の押圧部を有しており該押圧部の弾性によって前記口径規制板を前記地板に押し付けた状態で前記地板に取り付けられ前記口径規制板との間に羽根室を構成しているカバー板と、前記羽根室に配置されており駆動手段によって往復作動させられ前記光路規制用開口部に進退する少なくとも１枚の羽根と、を備えているようにする。
【００１１】
その場合、前記地板が、その周辺部に複数の係合部を有しており、前記カバー板が、その周辺部に折り曲げ形状をしていて弾性を有する複数のフック部を有しており、前記カバー板は、前記フック部を前記係合部に掛け止めすることによって前記地板に取り付けられているようにすると、コスト面で有利な構成となる。また、前記位置決め手段の少なくとも一つは、前記羽根が回転可能に取り付けられる軸であって、前記口径規制板には、該軸に嵌合する孔が形成されているようにすると好適な構成になる。
【００１２】
また、本発明のカメラ用羽根駆動装置は、前記羽根室に、各々が少なくとも１枚の羽根からなっていて、個別の駆動手段によって往復作動させられる第１羽根と第２羽根とが配置されているようにすることも可能である。その場合、もしも、第１羽根と第２羽根とが作動中に衝突してしまう心配があるのであれば、前記口径規制板と前記カバー板との間に、略中央部に前記光路規制用開口部より大きい開口部を有する中間板を配置し、該中間板が、前記口径規制板との間に前記第１羽根の羽根室を構成し、前記カバー板との間に前記第２羽根の羽根室を構成するようにすればよい。
【発明の効果】
【００１３】
本発明のカメラ用羽根駆動装置は、厚い合成樹脂製の地板のほかに薄い口径規制板を備えているので、地板に設けた開口部に撮影レンズの一部を挿入させることができるようになって、カメラ構成の薄型化に有利なものとなっているが、その口径規制板を地板に取り付けるに際しては、地板に対して固定するのではなく、地板に対してカバー板を取り付けたとき、カバー板に形成された折り曲げ形状の複数の押圧部の弾性で地板に対して圧接させるようにしたものであるから、専用の取付け部品が必要でなく、また、特殊な加工工程も必要とせず、コスト的に極めて有利なものである。
【発明を実施するための最良の形態】
【００１４】
本発明の実施の形態を、図示した実施例によって説明する。尚、図１は実施例の平面図であり、図２は図１の右側から見た側面図であり、図３は図２におけるＡ−Ａ線断面図である。また、本発明は、シャッタ装置，絞り装置，フィルタ装置を夫々単独でユニット化した羽根駆動装置とすることも、それらのうちの二つをユニット化した羽根駆動装置とすることも可能であるが、実施例は、シャッタ装置と絞り装置とをユニット化した羽根駆動装置である。更に、本発明は、銀塩フィルムカメラ用の羽根駆動装置とすることも、各種のデジタルカメラ用の羽根駆動装置とすることも可能であるが、実施例は、デジタルスチルカメラに採用することを意図して構成したものである。
【実施例】
【００１５】
先ず、本実施例の構成を説明する。地板１は、合成樹脂製であって、略中央部には、光軸を中心にした円形の開口部１ａが形成されている。この地板１は、モータも含めて多くの部材を取り付ける必要があることから、比較的厚い部材となっている。また、通常は、このような地板１に形成されている開口部１ａを光路規制用の開口部（露光開口）とすることが多いが、本実施例の場合は、後述のように、光路規制用の開口部を別に設けていることから、開口部１ａの直径が光路規制用の開口部より大きくなっていて、図示していない撮影レンズを、後述のシャッタ羽根や絞り羽根に近接して配置することが可能となっている。従って、この開口部１ａの形状は、その縁が撮影レンズと接触しないようになってさえいれば、本実施例のように、必ずしも円形である必要はない。
【００１６】
地板１には、その外周面から突き出すようにして、二つの係合部１ｂ，１ｃが設けられている。また、地板１の一方の面には、図１に示されているように、三つの軸１ｄ，１ｅ，１ｆと、一つの位置決めピン１ｇが設けられており、外周縁部には、同一形状をした四つの塀１ｈ，１ｉ，１ｊ，１ｋが等角度間隔で設けられている。更に、この面には、後述する各羽根の作動を停止させる複数のストッパも設けられているが、それらの図示は省略されている。
【００１７】
口径規制板２は、金属製の薄い板材で製作されていて、図１から分かるように、外形形状は地板１と同様に略円形をしているが、地板１よりは若干小さくて、その外周面が上記の四つの塀１ｈ，１ｉ，１ｊ，１ｋの内側となっている。そして、この口径規制板２には、その略中央部に、光軸を中心にした円形の開口部２ａが形成されているが、この開口部２ａは、地板１の開口部１ａよりも直径がかなり小さくて、撮影光の光路の直径を規制するための開口部となっている。また、この口径規制板２には、符号を付けていない三つの孔が形成されていて、それらを上記の地板１の軸１ｄ，１ｅ，１ｆに嵌合させている。更に、上記の地板１の位置決めピン１ｇを挿入させた長孔２ｂも形成されている。
【００１８】
カバー板３は、金属製の薄い板材で製作されていて、その略中央部には、上記の口径規制板２の開口部２ａよりも直径の大きな開口部３ａが形成されている。このカバー板３は、地板１の塀１ｉ，１ｋと対応する角度位置において、円形をした外周縁から所定の角度で折り曲げられた二つの折曲部３ｂ，３ｃを有しており、また、地板１の塀１ｈ，１ｊと対応する角度位置において、外周縁から延伸させた部位に略直角に折り曲げられた二つの折曲部３ｄ，３ｅを有していて、折曲部３ｂ，３ｃは、図２から分かるように、その先端を口径規制板２に接触させ、また、折曲部３ｄ，３ｅは、図２及び図３に示された折曲部３ｅの場合で分かるように、その先端に設けられた孔を、地板１の係合部１ｂ，１ｃに掛け止めしている。また、このカバー板３には、符号を付けていない孔が形成されており、それを上記の地板１の軸１ｅに嵌合させている。更に、口径規制板２の長孔２ｂと対応する位置に同じ形状をした長孔３ｆが形成されていて、地板１の位置決めピン１ｇを挿入させている。
【００１９】
このようにして口径規制板２とカバー板３との間に構成されている羽根室には、２枚のシャッタ羽根４，５と、１枚の絞り羽根６とが配置されている。それらの３枚の羽根４，５，６のうち、一番口径規制板２側に配置されているシャッタ羽根４は、長孔４ａを有していて、上記の地板１に設けられた軸１ｅに回転可能に取り付けられており、他方のシャッタ羽根５は、長孔５ａを有していて、上記の地板１に設けられた軸１ｄに回転可能に取り付けられている。また、一番カバー板３側に配置されている絞り羽根６は、長孔６ａと、口径規制用の開口部２ａより直径の小さな開口部６ｂとを有していて、上記の地板１に設けられた軸１ｆに回転可能に取り付けられている。
【００２０】
図２において、地板１の右側の面は複雑な形状をしていて、そこに、シャッタ羽根４，５を往復回転させるためのアクチュエータと、絞り羽根６を往復回転させるアクチュエータとが取り付けられている。それらのアクチュエータＭ，Ｍは、特開２０００−２９２８２７号公報などで周知となっている、ムービングマグネット型モータなどと称されている電流制御式のモータであって、固定子コイルに対する通電方向に対応して、永久磁石製の回転子が、所定の角度範囲内でだけ往復回転するモータである。本発明は、そのようなモータの構成自体には直接関係がないので、それらの構成を理解することができるようには図示していないが、図１には、それらの回転子８，９のみが示されている。
【００２１】
それらの回転子８，９は、各々の出力ピン８ａ，９ａを、地板１に円弧状に形成されている図示していない夫々の長孔に貫通させ、地板１の反対側の面、即ち口径規制板２などの配置されている面に突き出させている。また、図示を省略しているが、口径規制板２にも、地板に形成されたそれらの円弧状の長孔と対向しているところに、各々同じ形状の長孔が形成されている。更に、カバー板３には、それらの長孔と対向するところに、それらの長孔の一部の形状に対応させて円弧状の切欠き部３ｇ，３ｈが形成されている。そして、出力ピン８ａは、地板１と口径規制板２に形成された長孔と、シャッタ羽根４，５に形成された長孔４ａ，５ａに挿入され、回転子８が回転したときその先端をカバー板３に形成された切欠き部３ｇに出入りさせるようになっている。また、他方の出力ピン９ａは、地板１と口径規制板２に形成された長孔と、絞り羽根６に形成された長孔６ａに挿入され、回転子９が回転したときその先端をカバー板３に形成された切欠き部３ｈに出入りさせるようになっている。
【００２２】
図１〜図３は、本実施例の組立完了後の状態を示したものであるが、ここで、地板１に対する、上記の口径規制板２、シャッタ羽根３，４、絞り羽根６、カバー板３の取り付け方を説明する。先ず、地板１に対して口径規制板２を取り付けるが、その場合には、口径規制板２に設けられている三つの円形の孔（符号なし）を地板１の軸１ｄ，１ｅ，１ｆに嵌合させ、長孔２ｂを地板１の位置決めピン１ｇに嵌合させる。それによって、口径規制板２は、光軸と直交する方向へは移動することができないように位置規制され、口径規制板２に形成された二つの長孔（図示せず）に、出力ピン８ａ，９ａが挿通された状態になる。
【００２３】
このように、本実施例は、地板１の軸１ｄ，１ｅ，１ｆと位置決めピン１ｇとが、口径規制板２の位置決め手段となっている。しかしながら、このような位置決めは、それらのうちの二つだけでも可能であるし、極端な例ではあるが、位置決めピン１ｇの断面形状を、円形ではなく、長孔２ｂと同じ形状にするだけでも可能である。そのため、口径規制板２の外形形状は、本実施例のように円形に限定する必要はなく、種々の形状が選択可能である。また、本実施例の場合には、口径規制板２の外形形状が円形になっていて、その外周面が塀１ｈ，１ｉ，１ｊ，１ｋに略接する構成となっているため、回転止めのために、軸１ｄ，１ｅ，１ｆと位置決めピン１ｇのうちいずれか一つを採用するだけでも、口径規制板２の位置決めは可能である。尚、本実施例の場合には、口径規制板２を金属製としているが、薄く形成しても、各羽根４，５，６の作動が円滑に行えるのであれば、合成樹脂製としても一向に差し支えない。
【００２４】
次に、２枚のシャッタ羽根４，５と、１枚の絞り羽根６を取り付ける。このときには、先ず、シャッタ羽根４の孔（符号なし）を軸１ｅに嵌合させ、長孔４ａに出力ピン８ａを挿通させ、その次に、シャッタ羽根５の孔（符号なし）を軸１ｄに嵌合させ、長孔５ａに出力ピン８ａを挿通させる。そして、最後に、絞り羽根６の孔（符号なし）を軸１ｆに嵌合させ、長孔６ａに出力ピン９ａを挿通させる。そして、本実施例の場合には、図１の各羽根４，５，６の平面形状からも分かるように、シャッタ羽根４，５だけが作動する場合にも、絞り羽根６だけが作動する場合にも、シャッタ羽根５と絞り羽根６との重なり状態が常に好適に維持され、衝突するおそれがないようになっている。そのため、本実施例は、シャッタ羽根４，５と絞り羽根６との間に周知の中間板を配置して、別々の羽根室を構成しなくてもよいようになっている。尚、本実施例では、シャッタ羽根を２枚構成としているが、シャッタ羽根５の平面形状を大きくしても問題がない場合には、シャッタ羽根４が不要になることは言うまでもない。
【００２５】
最後に、カバー板３を取り付ける。この場合、カバー板３に設けられている円形の孔（符号なし）を地板１の軸１ｅに嵌合させ、長孔３ｆを地板１の位置決めピン１ｇに嵌合させる。それによって、カバー板３は、光軸と直交する方向へは移動することができないように位置規制されたことになるが、折曲部３ｂ，３ｃは、その段階のとき常態となっていて、その折り曲げ角度は、図２に破線で示したようになっている。また、折曲部３ｄ，３ｅの方は、図３に示した折曲部３ｅの場合でいえば、その先端が係合部１ｃの斜面の下方位置にあって、係合部１ｃには係合していない。
【００２６】
そのような状態にしておいてから、カバー板３全体を地板１側に押すと、一方では、折曲部３ｂ，３ｃが変形しながら、その弾性で口径規制板２を地板１に押圧し、他方では、折曲部３ｄ，３ｅが変形して、その先端が係合部１ｂ，１ｃの斜面を登っていく。そして、折曲部３ｄ，３ｅの先端がその斜面を登りきった後、その変形によって生じた弾性の復元力により、孔（符号なし）を係合部１ｂ，１ｃに嵌合させた状態が、図１及び図２に示された取付け状態であり、このとき折曲部３ｂ，３ｃは、図２において実線で示したようになっている。従って、この状態では、口径規制板２が、カバー板３の折曲部３ｂ，３ｃの弾性によって、地板１側に密着されていることになる。尚、本実施例の場合には、カバー板３を金属製としているが、折曲部３ｂ，３ｃ，３ｄ，３ｅに所定の弾性が得られ、しかも、地板１への取付け状態が確実に得られるのであれば、合成樹脂製としても一向に差し支えない。また、本発明は、カバー板３に折曲部３ｄ，３ｅを設けることが必須ではないから、折曲部３ｂ，３ｃが設けられてさえいれば、地板１への取り付けは、ねじ止めなどであっても差し支えない。
【００２７】
次に、本実施例の作動を簡単に説明する。本実施例の羽根駆動装置は、デジタルスチルカメラに採用して好適となるように構成したものであって、図１はその初期状態、即ち撮影の待機状態を示したものである。そのため、このとき、シャッタ羽根４，５は、開口部２ａを全開にし、絞り羽根６は、開口部２ａから退避した状態となっているため、固体撮像素子は被写体光にさらされており、被写体像をモニターで観察可能となっている。また、このとき、モータのコイルには通電されていないが、周知のように、回転子８，９の停止状態は、確実に維持されている。
【００２８】
撮影に際してレリーズボタンを押すと、測光回路の測定結果によって、撮影光量を減じて撮影するか、減じないで撮影するかが決定される。そして、撮影光量を減じて撮影すべきと判断されたときには、先ず、絞り装置用のモータに通電し、回転子９を時計方向へ回転させる。そのため、絞り羽根６は反時計方向へ回転し、開口部６ｂの中心が光軸位置に達すると、地板１に設けられたストッパ（図示せず）に当接して停止する。そして、その直後には、固体撮像素子に蓄積されていた電荷が放出され、あらたな電荷の蓄積開始によって撮影が開始する。その後、所定の時間が経過すると、露光制御回路からの信号によって、シャッタ装置用のモータに通電され、回転子８が時計方向へ回転させられる。そのため、シャッタ羽根４，５は、相反する方向へ回転させられ、開口部２ａを閉鎖した直後に、少なくとも一方のシャッタ羽根が地板１に設けられたストッパ（図示せず）に当接して停止する。
【００２９】
このようにして開口部２ａが閉鎖すると、その状態において撮像情報が記憶装置に転送される。そして、その転送が終了すると、シャッタ装置のモータに対して、上記の場合とは逆方向の通電が行われる。そのため、回転子８は反時計方向へ回転してシャッタ羽根４，５に開き作動を行わせる。シャッタ羽根４，５は、開口部２ａを全開にすると、その直後に、少なくとも一方のシャッタ羽根が地板１に設けられたストッパ（図示せず）に当接して停止する。その後、絞り装置のモータにも、上記の場合とは逆方向の通電が行われるため、回転子９は反時計方向へ回転して、絞り羽根６を開口部２ａから退かせる。絞り羽根６は、開口部２ａから完全に退くと、その直後に、地板１に設けられたストッパ（図示せず）に当接して停止する。そして、二つのモータに対する通電を断つと、図１に示した初期状態に復帰したことになる。
【００３０】
他方、撮影に際して、撮影光量を減じないで撮影をする場合の作動は、上記の作動説明において、シャッタ羽根４，５を往復回転させるだけである。そのため、重複を避けるために、その場合の作動説明を省略する。また、上記の作動説明は、デジタルスチルカメラに採用された場合という前提で説明したが、このようにして行われる作動は、他のデジタルカメラ（固体撮像素子を備えたカメラ）に採用された場合でも、基本的に同じである。更に、銀塩フィルムカメラに採用された場合には、絞り羽根６が図１に示した位置にあり、シャッタ羽根４，５が開口部２ａを閉鎖した状態が、初期状態となるが、その場合の作動シーケンスは、当業者にとって自明であるから、説明をしない。また、上記の作動説明において、シャッタ羽根４，５や絞り羽根６のストッパについて触れたが、口径規制板２に孔を形成し、それらのストッパを嵌合させるようにすれば、それらのストッパも、上記の軸１ｄ，１ｅ，１ｆや位置決めピン１ｇなどと同様に、口径規制板２の位置決め手段とすることが可能である。
【００３１】
尚、上記の実施例の場合には、シャッタ羽根４,５と絞り羽根６を、同じ羽根室に配置しているが、本発明は、口径規制板２とカバー板３との間を中間板で仕切り、シャッタ羽根４,５と絞り羽根６とを別々の羽根室に配置するようにしても差し支えない。その場合、専用の取付け部材によって、その中間板を地板に取り付けるようにしても構わないが、口径規制板２の場合と同様に、地板１に、中間板の位置決め手段を設け、カバー板３には、上記の折曲部３ｂ，３ｃのほかに、同じ機能を有する中間板用の複数の折曲部を設けると、一層優れた構成になる。
【００３２】
また、上記の実施例の場合には、アクチュエータとして、ムービングマグネット型モータなどと称されている電流制御式のモータを用いているが、本発明は、駆動手段として、ステップモータなどの他の電磁駆動手段を用いるようにしても差し支えない。また、実施例のカメラ用羽根駆動装置は、シャッタ装置と絞り装置とをユニット化したものであるが、本発明のカメラ用羽根駆動装置は、シャッタ装置，絞り装置,フィルタ装置を夫々単独でユニット化したものであっても、それらの二つ以上をユニット化したものであっても差し支えない。
【図面の簡単な説明】
【００３３】
【図１】実施例の平面図である。
【図２】図１の右側から見た側面図である。
【図３】図２におけるＡ−Ａ線断面図である。
【符号の説明】
【００３４】
１                            地板
１ａ，２ａ，３ａ，６ｂ        開口部
１ｂ，１ｃ                    係合部
１ｄ，１ｅ，１ｆ              軸
１ｇ                          位置決めピン
１ｈ，１ｉ，１ｊ，１ｋ        塀
２                            口径規制板
２ｂ，３ｆ，４ａ，５ａ，６ａ  長孔
３                            カバー板
３ｂ，３ｃ，３ｄ，３ｅ        折曲部
３ｇ，３ｈ                    切欠き部
４，５                        シャッタ羽根
６                            絞り羽根
７，８                        回転子
７ａ，８ａ                    出力ピン
【図１】
2005241725.tif 000003
【図２】
2005241725.tif 000004
【図３】
2005241725.tif 000005